(57)【要約】  【課題】静電霧化式の液体噴霧装置を備えた冷蔵庫に関し、噴霧液であるミストが帯びる電荷量を最小限に抑え、噴霧液であるミストと接触した構造体や収納物の帯電を防止する。  【解決手段】静電霧化装置１１５は基準電極１２２に付着した液体を基準電位とし、噴霧方向に設置された対向電極１２３に高電圧を印加することで、液体には直接高電圧を印加しないため、噴霧液であるミストが帯びる電荷量を最小限に抑え、噴霧液であるミストと接触した構造体や収納物の帯電を防止する。これにより、帯電により構造体が電界を発生することがないため、静電霧化装置やその他の制御装置の誤動作を懸念する必要がなくなる。また、収納物が帯電することもないため、収納物に触れた人体が電撃を受ける懸念もなく、安心して冷蔵庫を使用することができる。【選択図】図２
2009133609.tif 000002
【特許請求の範囲】
【請求項１】
貯蔵室を備えた箱体本体と、液体を微細粒子化したミストを噴霧する霧化装置を備え、前記霧化装置によって前記貯蔵室内に噴霧されるミストを基準電位とした冷蔵庫。
【請求項２】
霧化装置は高圧回路部を有し、前記高圧回路部は基準電位部を備えるとともに前記基準電位部と接続された基準電極に正電圧を印加することで貯蔵室内に噴霧されるミストを基準電位とした請求項１に記載の冷蔵庫。
【請求項３】
霧化装置を、ミストが通過する領域に開口部を設けた霧化装置ケースに収め、前記ケースの開口部と前記高圧回路部との間に所定の距離を設けた請求項１または請求項２に記載の冷蔵庫。
【請求項４】
霧化装置ケースを基準電位部と接続した請求項３に記載の冷蔵庫。
【請求項５】
高圧回路部の所定部分に非導電性材料を接触または近接させて設置した請求項１から請求項４のいずれか一項に記載の冷蔵庫。
【請求項６】
高圧回路部に流れる電流値を検出し、前記電流値が所定の範囲内にあるときには前記高圧回路部からの異常噴霧状態にあると判定する異常判定手段を備えた請求項１から請求項５のいずれか一項に記載の冷蔵庫。
【請求項７】
霧化装置を設置した空間に設けた湿度検出手段と、前記湿度検出手段による検出湿度が所定値以下のときは前記霧化装置への高電圧印加を停止する高電圧停止手段を備えた請求項１から請求項６のいずれか一項に記載の冷蔵庫。
【発明の詳細な説明】
【技術分野】
【０００１】
本発明は、静電霧化式の液体噴霧装置を備えた冷蔵庫に関するものである。
【背景技術】
【０００２】
近年では、液体を静電霧化して広範囲に噴霧し、電荷を帯びた微細な液体粒子によって脱臭効果や抗菌効果を促す家電製品が増加している。
【０００３】
このような静電霧化を利用した液体噴霧装置として次のようなものがある（特許文献１参照）。
【０００４】
図６は、特許文献１に記載された従来の液体噴霧装置の概要構成を示し、液体を噴射するノズル２０１と、これにて噴射される液体に静電気を帯電させて霧化するために高電圧の電界を形成する帯電部２０２と、その帯電部２０２を帯電させる高電圧電源２０６とからなる。この例の帯電部２０２は、ノズル２０１から噴射される液体の水柱２０３を、帯電電極２０４にて誘電帯電法により静電霧化し、つまり高電圧の電界を通過させることにより粒径を小さくして、帯電した微粒子の水滴２０５として噴霧する。
【０００５】
図７はその一例で、ノズル２０１の一部を円筒形の帯電電極２０４内に突入させ、高電圧電源２０６によりノズル２０１をプラス極、帯電電極２０４をマイナス極として高電圧を印加し、ノズル２０１から噴射される液体の微粒子の水滴２０５をマイナスに帯電させて静電霧化する。このようにマイナスに帯電させた場合にはマイナスイオン効果も発揮できる。
【０００６】
また、液体に、ビタミンＣ等の酸化防止剤や殺菌剤を混合し、これらを同時に静電霧化して噴霧することにより、酸化防止剤にて空気中に滞留している活性酸素を除去したり、殺菌剤にて殺菌したりすることができる。帯電電極２０４の先に、接地された静電吸着部（図示せず）を設置すれば、液体の水滴２０５と同時に空気中の浮遊微粒子等を静電気にて吸着回収することができる。図８に示すように、ノズル２０１自体に高電圧を直接印加すれば、ノズル２０１自体を帯電部として、消臭剤をノズル２０１にて噴霧と同時に直接帯電させることができる。
【０００７】
以上のように、静電霧化を行う装置においては、液体を高電位に帯電させ、電位差を持たせた対向電極に向けて噴霧させる手法が一般的である。
【特許文献１】特開２００５−２７０６６９号公報
【発明の開示】
【発明が解決しようとする課題】
【０００８】
しかしながら、上記従来の構成の液体噴霧装置では、噴霧液であるミストは高電圧を印加されるために多量の電荷を保持しており、このために次のような弊害が起こり得る。
【０００９】
例えば、多量の電荷を帯びたミストが野菜室内の構造体や収納物に付着すると、これらは噴霧液であるミストから電荷を受けて帯電する。これは、ミストの持つ電荷が収納物等に移動し、物体内の電荷量の正負のバランスが崩れるためである。これは、キャパシタの充電と同様に、物体の持つ静電容量が大きいほど、多量の電荷を蓄える。
【００１０】
ここで、例えば、収納物等の物体が樹脂のような非導電物であれば、電荷の移動は微小であり、一度帯電すると長時間高電位を保つ。また、金属のような導電物であれば、電荷の移動は活発に行われ、静電気による帯電現象でも言われるように周囲が高湿度であれば短時間で電荷が放出されることが定説である。
【００１１】
しかし、冷蔵庫内のように低温、低湿になり得る環境下において、室内が充分に冷却されており、且つ水分を多く含む野菜等の収納やドアの開閉といった湿度を上昇させる行為が長時間行われなかった場合、帯電した収納物等が持つ電荷は、たとえ導電物であっても放出されず、この帯電電位は電極に印加された電位と同等まで上昇することになる。例えば液体に印加する電位が−６ｋＶであれば、収納物の帯電電位も−６ｋＶ相当まで上昇し、帯電した物体が持つ静電容量が大きいほど蓄えられる電荷量も大きくなる。このようにして帯電した収納物に人体が触れたとき、蓄えられた電荷は人体に放電する。特に、導電物は瞬時に人体へと放電するため電撃のエネルギーのピーク値が高く、激しい痛みを与えることもある。いわゆる静電気による電撃と同様の現象である。冷蔵庫内の収納物から電撃を受けることは使用者にとっては全く予想できるものではなく、大きな不安を与えてしまう。
【００１２】
また、収納物以外でも、例えば野菜室内の野菜室ケースが帯電した場合、野菜室ケースは電界を発生し、この中に置かれた物体も高電位となる。例えば、液体に印加した−６ｋＶであるとき、野菜室ケース、野菜室ケースが発生した電界内に置かれた収納物、静電霧化装置そのものが最大で−６ｋＶ相当の電位を持つ。こうなると、−６ｋＶの電位である噴霧液であるミストと、野菜室内の物体は全て同等電位となるため、液体を微細粒子化するためのエネルギーが減少し、噴霧できない状態に陥ることがある。これにより、野菜室内の収納物への着水量も著しく低下し、殺菌等々の効果が減少する。また、配線や他の機能部品が電界の中に入っていれば、その箇所は高電位となり、機器の誤動作や破壊を引き起こすことになる。
【００１３】
従来のように、常温、常湿の解放空間においては帯電した物体が持つ電荷は放出され易く、特に導電物においてはこの傾向が顕著である。よって、従来の使用方法ではこの課題は特に留意すべきものではなかった。しかし、冷蔵庫内のように、低温、低湿になる可能性がある環境下では電荷を帯びた液体を噴霧させることで、上述したような弊害が起こり得る。
【００１４】
また、低温、低湿環境でなくとも、噴霧中に、着水した導電物に人体が触れることができる構成である場合、導電物内の電荷は放電されずにいるため、痛みを伴う電撃を発生する可能性がある。
【００１５】
本発明は、上記従来の課題を解決するもので、霧化装置がミスト噴霧を行うことによる帯電現象を抑制できるものである。
【課題を解決するための手段】
【００１６】
上記従来の課題を解決するために、本発明の冷蔵庫は、貯蔵室を備えた箱体本体と、液体を微細粒子化したミストを噴霧する霧化装置を備え、前記霧化装置によって前記貯蔵室内に噴霧されるミストを基準電位としたものである。
【００１７】
これによって、ミスト内の正負の電荷量は均等となり、ミストが付着した構造体や収納物の帯電を防止することができる。
【発明の効果】
【００１８】
本発明の冷蔵庫は、ミストが付着した構造体や収納物の帯電を防止することができるので、より安全性の高い使い勝手の良い冷蔵庫を提供することができる。
【発明を実施するための最良の形態】
【００１９】
請求項１に記載の発明は、貯蔵室を備えた箱体本体と、液体を微細粒子化したミストを噴霧する霧化装置を備え、前記霧化装置によって前記貯蔵室内に噴霧されるミストを基準電位としたことで、液体には直接高電圧を印加しないため、噴霧液であるミストであるミスト内の正負の電荷量を均等に保ち、噴霧液であるミストであるミストと接触した構造体や収納物の帯電を防止する。これにより、構造体の帯電による二次的な電界発生がないため、静電霧化装置やその他の制御装置の誤動作を懸念する必要がなくなる。また、収納物が帯電することもないため、収納物に触れた人体に電撃を発生する懸念もなく、安心して冷蔵庫を使用することができる。
【００２０】
請求項２に記載の発明は、請求項１に記載の発明において、霧化装置は高圧回路部を有し、前記高圧回路部は基準電位部を備えるとともに前記基準電位部と接続された基準電極に正電圧を印加することで貯蔵室内に噴霧されるミストを基準電位としたことで、万一、噴霧液であるミストであるミストが電荷を帯びたとしても正極性となり、正極性に帯電し易い人体との電位差を軽減する。これにより、収納物に触れた人体に電撃を発生する可能性を更に低減することができる。
【００２１】
請求項３に記載の発明は、請求項１または請求項２に記載の発明において、霧化装置を、ミストが通過する領域に開口部を設けた霧化装置ケースに収め、前記ケースの開口部と前記高圧回路部との間に所定の距離を設けたことで、基準電位とほぼ同位である導電性収納物が対向電極の近傍に収納されることを防止し、期せずして対向電極に液体が付着した際に、噴霧液であるミストが導電性収納物に向けて放出し、帯電させることを防止することができる。
【００２２】
請求項４に記載の発明は、請求項３に記載の発明において、霧化装置ケースを基準電位部と接続したことで、高電圧を印加された対向電極などが発生する電界をケース内部に留め、噴霧液であるミストによる帯電防止と同時に電界による帯電も防止することができる。
【００２３】
請求項５に記載の発明は、請求項１から請求項４のいずれか一項に記載の発明において、前記高圧回路部の所定部分に非導電性材料を接触または近接させて設置したことで、期せずして対向電極に液体が付着した際に、対向電極から液体への電荷の移動を抑制し、または電荷を帯びた噴霧液であるミストの放出を遮断し、万一、対向電極から冷蔵庫内へ噴霧されることがあっても構造体や収納物の帯電を微小なものとすることができる。
【００２４】
請求項６に記載の発明は、請求項１から請求項５のいずれか一項に記載の発明において、前記高圧回路部に流れる電流値を検出し、前記電流値が所定の範囲内にあるときには前記高圧回路部からの異常噴霧状態にあると判定する異常判定手段を備えたことで、通常噴霧時と、対向電極から導電性収納物への噴霧時を区別し、後者の場合は噴霧を停止して、構造体や収納物の帯電を防止することができる。
【００２５】
請求項７に記載の発明は、請求項１から請求項６のいずれか一項に記載の発明において、前記静電霧化装置を設置した空間に設けた湿度検出手段と、前記湿度検出手段による検出湿度が所定値以下のときは前記静電霧化装置への高電圧印加を停止する高電圧停止手段を備えたことで、帯電物が電荷を放出し易い高湿時にのみ霧化装置を駆動させ、万一、電荷を帯びた噴霧液であるミストが発生しても構造体や収納物の帯電は瞬時的なものとすることができる。
【００２６】
以下、本発明の実施の形態について、図面を参照しながら説明する。なお、この実施の形態によってこの発明が限定されるものではない。
【００２７】
（実施の形態１）
図１は本発明の実施の形態１における冷蔵庫の側断面図である。図２は本発明の実施の形態１の冷蔵庫における野菜室の側断面図である。図３は本発明の実施の形態１の冷蔵庫における対向電極と収納物との距離ｄと帯電電位の関係を示す特性図である。図４は本発明の実施の形態１の冷蔵庫における絶対湿度と帯電電位の関係を示す特性図である。
【００２８】
図１、図２において、冷蔵庫１０１は箱体本体１０２と貯蔵室の区画をつくるための仕切りが上から１０３ａ，１０３ｂ，１０３ｃ、それら区画を閉空間にするための扉１０４により断熱区画され、貯蔵室は上から冷蔵室１０５、切替室１０６、野菜室１０７、冷凍室１０８の異なる温度の貯蔵空間になっている。その中で、野菜室１０７は５℃前後に冷却されている。
【００２９】
また、冷蔵庫１０１を冷却するため、冷凍サイクルが圧縮機１１１、凝縮器、膨張弁やキャピラリチューブなどの減圧装置（図示せず）、蒸発器１１２、それら構成部品を連結する配管、冷媒などで構成される。
【００３０】
さらに蒸発器１１２で生成された低温空気を各貯蔵室空間に搬送、もしくは貯蔵室空間で熱交換された空気を蒸発器１１２に回収するための風路１１３があり、風路１１３は各貯蔵室と仕切り１１４で断熱されている。
【００３１】
さらに、野菜室１０７の中には、液体を微細粒子化して噴霧する静電霧化装置１１５が設置され、野菜室ケース１１６内に向けて微細ミストを噴霧する。
【００３２】
静電霧化装置１１５は、高圧回路部１２１と、高圧回路部１２１の基準電位部と接続された基準電極１２２と、高圧回路部１２１より高電圧を印加される対向電極１２３と、基準電極１２２を圧入接続した冷却ピン１２４と、これらを囲う霧化装置ケース１２５ａと、霧化装置ケース１２５ａの噴霧液であるミストが通過する箇所を開口した開口部１２６によって構成されている。
【００３３】
冷却ピン１２４は仕切り１１４に埋設され、風路１１３の冷気によって−５℃程度まで冷却される。基準電極１２２は冷却ピン１２４を介して冷気からの熱伝導によって同じく−５℃相当まで冷却され、５℃前後の温度環境に保たれた野菜室１０７内の雰囲気温度と１０℃程度の温度差を生じる。このとき、野菜室１０７に収納された野菜類から蒸散した水分等によって所定以上の湿度があれば、基準電極１２２は結露し、この結露水は基準電極１２２と同じく基準電位となる。
【００３４】
一方、対向電極１２３には＋６ｋＶの高電位が印加されており、基準電位である基準電極１２２への結露水とは６ｋＶの電位差を生じる。この静電エネルギーによるレイリー分裂により、結露水は数ｎｍの微細粒子に霧化され、野菜室１０７に噴霧される。
【００３５】
このような静電霧化方式により噴霧された微細噴霧液であるミストはＯＨラジカルなどを多く含んでいることが確認されており、また、これに付随して微量のオゾンも発生する。これらＯＨラジカルと微量のオゾンによって、野菜室１０７内には、殺菌、抗菌、除菌などの作用がある他、酸化分解による農薬除去や抗酸化によるビタミンＣ量などの栄養素の増加を野菜に促すことを確認している。
【００３６】
オゾンには、低濃度であれば上述したような効果が得られるが、０．０３ｐｐｍを越す濃度であれば臭気により人間に不快感を与え、また、貯蔵室を構成する樹脂部品に対して劣化促進の作用がある。しかし、本実施の形態の構成では、基準電極１２２に印加する電圧は、＋６ｋＶと非常に高圧であるが、そのときの放電電流値は１〜２μＡのレベルに制御されており、悪影響を与え得る濃度のオゾンは発生しない。
【００３７】
また、本実施の形態では、基準電極１２２を基準電位とすることで、噴霧液であるミスト内の正負の電荷量をほぼ同数に保ちながらも、いわゆる誘電分極による帯電によってＯＨラジカル等を生成している。このため、噴霧液であるミストが着水した収納物等の物体内での正負の電荷量のバランスは崩れず、即ち帯電することなく、上述したような保鮮効果を得ることができる。
【００３８】
例えば、本実施の形態に反して、基準電極１２２に−６ｋＶを印加し、対向電極１２３を基準電位にしたとすると、両電極間に発生する電位差は同様に６ｋＶであるが、噴霧液であるミストが直接−６ｋＶの電極に触れているため、噴霧液であるミスト内の正の電荷は電極に奪われ、負電荷量が正電荷量を大きく上回る。その結果、この噴霧液であるミストが着水した物体内の正負の電荷バランスは負極性に偏る。即ち負電位に帯電し、電界の発生による誤動作や人体への電撃等の可能性が発生する。本構成はこのような現象を防止する構成となっている。
【００３９】
ただし、以下に示すように、この構成によっても収納物等が帯電する現象は起こり得る。
【００４０】
例えば、何らかの要因によって、対向電極１２３に液体が付着し、更に野菜室１０７内に、対向電極と近接した場所に導電性の収納物が存在する場合、例えばアルミ缶が収納されていた場合を考える。
【００４１】
このとき、対向電極１２３に＋６ｋＶの高電圧が印加されていたとすると、アルミ缶は対向電極１２３にとってほぼ基準電位と同位であるので、この間での放電現象によって微細粒子化された液体がアルミ缶の方向へ噴霧される。本実施の形態では、対向電極を板状としたので噴霧量はごく微量であり、アルミ缶を帯電させる電荷量を持つことは無いが、もし対向電極を針状とした場合は多量の噴霧が行われる可能性がある。この場合の噴霧液であるミストは多量の電荷を持ちアルミ缶に着水して帯電する。ある程度の湿度があればアルミ缶の帯電は即座に放電されるが、冷蔵庫内に水分を多く含む野菜類等が収納されていない場合やドア開閉が長時間行われなかった場合、即ち低湿度環境下では、アルミ缶に蓄積された電荷は長時間保持される。
【００４２】
この対応として、まず、対向電極１２３に印加する高電圧を正極性としている。これは、万一、収納物が正の高電圧に帯電するとしても、正極性に帯電し易い人体との電位差を軽減できるよう考慮したものである。これにより、収納物に触れた人体に電撃を発生する可能性は低くなるが、これだけでは根本的な解決にはならないため、以上のような現象を防止するために、次に示すような更なる対応策を考案している。
【００４３】
以下に記載する対応策は、本実施の形態の噴霧液であるミストを基準電位とした静電霧化装置に限らず、噴霧液であるミストを高圧とする静電霧化装置、オゾン発生装置、マイナスイオン発生装置といった高圧を扱う装置いずれにも有効な手段である。
【００４４】
ひとつは、導電性収納物が対向電極１２３と近接して収納されない構成とすることである。これにより、対向電極１２３に付着した液体には、収納物へと引き寄せられる引力が働かなくなり、液体はケース外部に噴霧することはなくなる。そこで、本実施の形態１では、対向電極１２３と霧化装置ケース１２５ａとの距離ｄ（図２参照）を充分に設けることで、収納物と対向電極１２３間の距離は確実にｄ以上が保たれる構成とした。また、収納物の一部分が開口部１２６から侵入しないように、開口部１２６はスリット形状とした。
【００４５】
本実施の形態１では、対向電極１２３に＋６ｋＶの高電圧を印加しているが、この際に必要な対向電極１２３とケース間距離ｄを１５ｍｍと設定している。これは図３に示すように、距離ｄと導電性収納物の帯電電位との関係を測定した結果に基づき決定した。ここに示すように、距離ｄが１５ｍｍ以上になると導電性収納物の帯電電位は０Ｖに近いレベルとなり、これは基準電極１２３から電荷を帯びた液体の噴霧がなくなったことを証明している。尚、このときの野菜室内の温度、及び相対湿度は、５℃、３０％である。また、必要とする距離ｄは、当然、対向電極１２３への印加電圧によって変化する。図３に示すように、４ｋＶのときには距離ｄが１０ｍｍ程度、２ｋＶのときには距離ｄは５ｍｍ程度で帯電電位は様々な弊害を発生しないレベルまで低下する。このように、印加する高電圧のレベルによって距離ｄを決定すればよい。
【００４６】
さらには、対向電極１２３の表面全体、または噴霧方向面を絶縁性のエポキシ等の樹脂材によってコーティングする手法がある。これにより、対向電極１２３に付着した液体への電荷の移動は微小となり、噴霧液であるミストが多量の電荷を持つことはなくなる。これは、絶縁物内では電荷の移動が起こりにくいという性質を利用したもので、対向電極１２３と液体との間に絶縁物を挿入することで、対向電極１２３から液体への電荷の移動を抑制する。この絶縁性材料の塗布は、本来の基準電極１２２との放電効率を下げないように、基準電極１２２側には塗布せず、噴霧方向片面だけとすることが好ましい。また、コーティングを行う以外にも、絶縁性材料を対向電極１２３に接触させて取り付けるような構成でもよい。また、コーティング等のように絶縁性材料を接触させずに、対向電極１２３から開口部１２６方向への噴霧を遮るように絶縁性の構造体を設置してもよい。但し、この場合は通常時の基準電極１２２からの噴霧を妨げないように配慮することが必要である。
【００４７】
さらには、対向電極１２３の放電電流を検出することによって、基準電極１２２に結露水が付着する通常の噴霧状態と、期せずして対向電極１２３に液体が付着する噴霧状態との区別を図る手法がある。
【００４８】
基準電極１２２に結露水が付着する通常の噴霧状態では、放電電流は１〜２μＡ程度がモニタされる。しかし、期せずして対向電極１２３に液体が付着する噴霧状態では、放電電流の値は０．３〜０．８μＡ程度に減少する。また、通常通り基準電極１２２に結露水が付着し、且つ、期せずして対向電極１２３に液体が付着した場合の放電電流は２μＡ以上がモニタされる。このように放電電流によって噴霧状態を有る程度把握することが可能である。この電流値を電流検出回路とマイコン等によって構成した異常判定手段１２７によって判定し、期せずして対向電極１２３に液体が付着したときの電流値をモニタした際は対向電極１２３への高電圧の印加を停止する。但し、モニタする電流値は静電霧化装置１１５の構成によって変化するため、本実施の形態１に示した値に限定するものではなく、構成ごとに対向電極１２３に液体が付着したときの電流値範囲を測定し異常判定手段１２７による判定基準値を決定しなければならない。
【００４９】
更には、野菜室１０７内に湿度検知手段１２８を備え、野菜室１０７内が所定の湿度以下のときにのみ対向電極１２３に高電圧を印加する手法がある。
【００５０】
万一、収納物が帯電したとしても一定以上の湿度があれば、導電性収納物に蓄積された電荷は瞬時に放電される。この放電現象は、導電性収納物や野菜室ケース１１６等の湿り具合が大きく影響していると考えられるため、本実施の形態１では絶対湿度を指標として制御するものとする。
【００５１】
図４に示す特性図は、任意の絶対湿度下において、導電性収納物に電荷を帯びた噴霧液であるミストを３０分間噴霧した後の帯電電位を示すものである。噴霧中は噴霧液であるミストによる導電性収納物への電荷の蓄積と、導電性収納物から外部への電荷の放出が同時に行われており、絶対湿度が所定以上になると、外部への電荷の放出量が噴霧液であるミストによる電荷の蓄積量を上回るものと考えられる。よって、導電性収納物の帯電電位はゼロに近い状態となり、実質、帯電していない形となる。図４より、絶対湿度０．００３ｋｇ／ｋｇ以上のときには帯電電位はほぼ０Ｖとなっている。
【００５２】
これをもって、湿度検知手段１２８による検知湿度はマイコン等によって構成された高電圧停止手段１２９に入力され、高電圧停止手段１２９は、絶対湿度０．００３ｋｇ／ｋｇ以下のときには高電圧の印加を停止させるものとする。但し、この絶対湿度値は帯電電位がほぼゼロとなる値としており、様々な弊害を与えないレベルであれば、０．００３ｋｇ／ｋｇ以上の値としてもよい。
【００５３】
なお、本実施の形態では、液体を基準電極１２２に付着させて基準電位とし、対向電極１２３に＋６ｋＶの高電圧を印加することで、基準電極１２２と対向電極１２３との間に６ｋＶの電位差を設けているが、噴霧が可能であればこの電位差は６ｋＶに限ったものではなく、任意の値に設定すればよい。
【００５４】
また、例えば、液体を−２ｋＶとし、対向電極を＋４ｋＶとすることで６ｋＶの電位差を設定する手法も考えられる。この場合、噴霧液であるミスト内の正負の電荷量のバランスは負側に偏るため、噴霧液であるミストが着水した収納物等の物体内での正負の電荷量のバランスも負極性に偏り帯電するが、液体に印加されていた−２ｋＶという電位は比較的小さいものであるため、収納物等の物体は様々な弊害を及ぼすレベルにまではならない。また、噴霧液であるミスト体内のＯＨラジカル量は、液体を基準電位とした場合よりも多く得られるというメリットがある。
【００５５】
以上のように、本実施の形態では、液体を微細粒子化して噴霧する静電霧化装置１１５を備え、静電霧化装置１１５は基準電極１２２に付着した液体を基準電位とし、噴霧方向に設置された対向電極１２３に高電圧を印加することで、液体には直接高電圧を印加しないため、噴霧液であるミスト内の正負の電荷量を均等に保ち、噴霧液であるミストと接触した構造体や収納物の帯電を防止する。これにより、構造体の帯電による二次的な電界発生がないため、静電霧化装置やその他の制御装置の誤動作を懸念する必要がなくなる。また、収納物が帯電することもないため、収納物に触れた人体に電撃を発生する懸念なく、安心して冷蔵庫を使用することができる。
【００５６】
また、対向電極１２３に印加する高電圧を正電圧としたことで、対向電極１２３に印加する高電圧を正極性とすることで、万一、噴霧液であるミストが電荷を帯びるとしても正極性となり、正極性に帯電し易い人体との電位差を軽減する。これにより、収納物に触れた人体に電撃を発生する可能性を更に低減することができる。
【００５７】
また、静電霧化装置１１５を、噴霧液であるミストが通過する領域に開口部を設けた霧化装置ケース１２５ａに収め、霧化装置ケース１２５ａの開口部１２６と対向電極１２３との間に所定の距離を設けたことで、基準電位とほぼ同位である導電性収納物が対向電極１２３の近傍に収納されることを防止し、期せずして対向電極１２３に液体が付着した際に、噴霧液であるミストが導電性収納物に向けて放出し、帯電させることを防止することができる。
【００５８】
また、対向電極１２３の所定部分に非導電性材料を接触または近接させて設置したことで、期せずして対向電極１２３に液体が付着した際に、対向電極１２３から液体への電荷の移動を抑制し、または電荷を帯びた噴霧液であるミストの放出を遮断し、万一、対向電極１２３から野菜室１０７内へ噴霧されることがあっても構造体や収納物の帯電を微小なものとすることができる。
【００５９】
また、対向電極１２３に流れる電流値を検出し、電流値が所定の範囲内のときには対向電極１２３からの異常噴霧状態にあると判定する異常判定手段１２７を備えたことで、通常噴霧時と、対向電極１２３から導電性収納物への噴霧時を区別し、後者の場合は噴霧を停止して、構造体や収納物の帯電を防止することができる。
【００６０】
また、静電霧化装置１１５を設置した空間に設けた湿度検出手段１２８と、湿度検出手段１２８による検出湿度が所定値以下のときは静電霧化装置１１５への高電圧印加を停止する高電圧停止手段１２９を備えたことで、帯電物が電荷を放出し易い高湿時にのみ静電霧化装置１１５を駆動させ、万一、電荷を帯びた噴霧液であるミストが発生しても構造体や収納物の帯電は瞬時的なものとすることができる。
【００６１】
（実施の形態２）
図５は本発明の実施の形態２の冷蔵庫における野菜室の側断面図である。
【００６２】
実施の形態１において噴霧液であるミストによる帯電防止構成を実現したが、例えば１０ｋＶを超えるような更なる高電圧を対向電極１２３へ印加する場合は、静電霧化装置１１５外部にまで強い電界が発生する可能性があるため、この電界による帯電防止を考慮しなければならない。
【００６３】
電界により発生する帯電現象は、いわゆる導体にとっての静電誘導、非導体にとっての誘電分極であるため、静電誘導による導体の帯電は高電圧の印加を停止することで即解消されるが、誘電分極による樹脂の帯電は長時間継続される。例えば、静電霧化装置１１５の周囲に配置され、樹脂材料によって構成される野菜室１０７の天井面となる仕切り１０３ｂや、奥面の仕切り１１４、更には風路１１３等が静電霧化装置１１５による電界によって帯電する可能性がある。
【００６４】
これらが帯電すると、２次的に電界を発生し、この中に置かれた物体も高電位となる。例えば、液体に印加した＋６ｋＶに対して、野菜室ケース、野菜室ケースが発生した電界内に置かれた収納物、静電霧化装置そのものが＋６ｋＶ相当の電位を持つ。こうなると、＋６ｋＶの電位を持つ噴霧液であるミストと、野菜室内の物体は全て同等電位であるため、液体を微細粒子化するためのエネルギーが減少し、時には噴霧すらしない状態に陥る。これにより、野菜室内の収納物への着水量も著しく低下し、殺菌等々の効果も減少する。また、配線や他の機能部品が電界の中に入っていれば、その箇所は高電位を帯び、機器の誤動作や破壊を引き起こすことになる。
【００６５】
これら帯電の可能性がある構造体の全てを導電性の材料で構成し、更に基準電位とすることで、帯電による弊害を解決することは可能だが、多数の構造体の全てに対応するにはコストが嵩んでしまう。
【００６６】
よって、電界の発生を静電霧化装置１１５の根本から断つために、霧化装置ケース１２５ｂを導電性の材料によって構成し、これを基準電位と接続する手法が考えられる。
【００６７】
図５において、霧化装置ケース１２５ｂは表面抵抗が１０１１Ω程度の導電性樹脂で形成されている。この霧化装置ケース１２５ｂは、配線１３１によって、基準電位部１３２と接続されている。この基準電位部１３２はスイッチング電源ＩＣ１３３を用いて構成されるスイッチング電源回路部１３４の２次側グランドと同位とした。スイッチング電源回路部１３４の１次側と２次側の間には放電用抵抗器１３５を接続し、高電位からの漏れ電流は図５上の矢印で示した放電経路をたどって１次側の基準電位部１３６へと放出される構成とした。
【００６８】
これによって、静電霧化装置１１５が発生する電界は霧化装置ケース１２５ｂによってシールドされ、外部に電界を漏洩しないため、帯電による弊害を考慮する必要がなくなる。
【００６９】
本実施の形態では、野菜室ケース１１６を表面抵抗が１０１１Ω程度の導電性樹脂で構成しているが、これは静電気的に導体であれば表面抵抗値はこの値に限らず、当然のこと、金属製のケースとしても良い。
【００７０】
以上のように、霧化装置ケース１２５ｂを基準電位部１３２と接続することで、電界の発生を霧化装置ケース１２５ｂ内部に留め、静電霧化装置１１５外部への電界の発生を防止し、電界による弊害を抑制することができる。
【産業上の利用可能性】
【００７１】
以上のように、本発明は冷蔵庫以外にも、エアコン、空気清浄機、洗濯機等の家電製品を始め、自動車や設備機器等についても応用できるものである。
【図面の簡単な説明】
【００７２】
【図１】本発明の実施の形態１における冷蔵庫の側断面図
【図２】同実施の形態の冷蔵庫における野菜室の側断面図
【図３】同実施の形態の冷蔵庫における対向電極と収納物との距離ｄと帯電電位の関係を示す特性図
【図４】同実施の形態の冷蔵庫における絶対湿度と帯電電位の関係を示す特性図
【図５】本発明の実施の形態２の冷蔵庫における野菜室の側断面図
【図６】従来の液体噴霧装置の概要構成を示す概要構成図
【図７】従来の液体噴霧装置の別形態の概要構成を示す概要構成図
【図８】従来の液体噴霧装置の別形態の概要構成を示す概要構成図
【符号の説明】
【００７３】
１０１  冷蔵庫
１０２  箱体本体
１０３ａ  仕切り
１０３ｂ  仕切り
１０３ｃ  仕切り
１０４  扉
１０５  冷蔵室
１０６  切替室
１０７  野菜室
１０８  冷凍室
１１１  圧縮機
１１２  蒸発器
１１３  風路
１１４  仕切り
１１５  静電霧化装置
１１６  野菜室ケース
１２１  高圧回路部
１２２  基準電極
１２３  対向電極
１２４  冷却ピン
１２５ａ  ケース
１２５ｂ  ケース
１２６  開口部
１２７  異常判定手段
１２８  湿度検出手段
１２９  高電圧停止手段
１３１  配線
１３２  基準電位部
１３３  スイッチング電源ＩＣ
１３４  電源回路部
１３５  放電用抵抗器
１３６  基準電位部
【図１】
2009133609.tif 000003
【図２】
2009133609.tif 000004
【図３】
2009133609.tif 000005
【図４】
2009133609.tif 000006
【図５】
2009133609.tif 000007
【図６】
2009133609.tif 000008
【図７】
2009133609.tif 000009
【図８】
2009133609.tif 000010